(57)【特許請求の範囲】
【請求項１】
踏切等の遮断棒に取り付ける表示板であって、
断面視Ｃ字状の取り付け部と板状の表示部とからなる発泡樹脂製の部材からなり、
前記取り付け部の外周面及び／又は内周面に該取り付け部の長さ方向と平行な溝が刻設され、
前記取り付け部の内周面にクッション材が設けられ、
前記表示部は前記取り付け部の長さ方向と平行方向に、該取り付け部から立設されていることを特徴とする踏切等遮断棒用表示板。
【請求項２】
発泡倍率が１．５〜３倍であることを特徴とする請求項１に記載の踏切等遮断棒用表示板。
【請求項３】
表示部は断面視Ｃ字状の取り付け部の端部から延設されていることを特徴とする請求項１又は２に記載の踏切等遮断棒用表示板。
【請求項４】
表示部の基端に結束バンドを挿通するための窓部が穿設されていることを特徴とする請求項１乃至３のいずれかに記載の踏切等遮断棒用表示板。
【請求項５】
蛍光着色料又は夜光着色料が含有又は塗布されていることを特徴とする請求項１乃至４のいずれかに記載の踏切等遮断棒用表示板。
【発明の詳細な説明】
【技術分野】
【０００１】
本発明は、踏切等用遮断棒に取り付ける表示板に係り、詳しくは、軽量で取り付けやすく、遮断棒の上側に起立させることができるので視認しやすい踏切等遮断棒用表示板に関する。
【背景技術】
【０００２】
従来より、例えば、踏切において遮断棒が降りていることが遠目からも判別できるように、危険察知の着色表示や警告のメッセージを記載した表示板等が、遮断棒から吊り下げられている（特許文献１及び２参照）。
また、遮断棒より高い位置に表示灯を設ける提案もなされている（特許文献３参照）。
【先行技術文献】
【特許文献】
【０００３】
【特許文献１】実用新案登録第３０４９７４１号公報
【特許文献２】実開平５−２２２４９号公報
【特許文献３】特開２００２−３２６５７３号公報
【発明の概要】
【発明が解決しようとする課題】
【０００４】
一般に、踏切の遮断棒は容易に乗り越えたりくぐったり出来ないように、成人のへその高さ辺りを遮るように配置されているが、引用文献１及び２に記載されているような表示具等をこの位置から吊り下げると、目線よりもかなり低い位置に表示具等が配置されることになる。従って、遮断棒の前に人や車がいるような場合には、遠くからは視認できず、また、近くからでも屈み込んだり覗き込んだりしないと、吊り下げられた表示具等は目に入らず、表示具の役割を十分に果たし得ないという欠点があった。
特に、近年、自動車で踏切を渡っている最中に遮断機が降り、踏切内に取り残される事例が多発している。吊り下げられた表示板には踏切からの脱出方法が記載されてはいるが、設置されている位置が低すぎて車体に隠れるため、狼狽したドライバーにはその表示板が目に入らず、結局大事故になることも少なくない。
【０００５】
一方、引用文献３に記載された表示灯のように、遮断棒の上に表示板等を配置すれば、近くから見る場合でも表示板等が目に入りやすくなる。しかしながら、表示板等を遮断棒の上に配置するには、表示板等が起立できる程度に剛性の大きい硬い材料を用いる必要があるので、その分重くなってしまう欠点がある。重い表示板等を遮断棒に取り付けるためには、遮断棒を昇降させるためのモーターをパワーの大きなものに取り替えなければならないので、高コストとなり、また、エネルギー消費量の面でも問題がある。小さな表示板等であればパワーの小さいモーターでよいが、表示が見えにくくなるので、表示具の役割を十分に果たすことができない。
【０００６】
本発明はかかる実情に鑑み、上記従来技術の問題点を解消し、素材や形状、構造による可撓性及び弾性変形を利用して容易に遮断棒に取り付けることができ、軽量であるので遮断棒の上側で起立させることが可能であるため視認性に優れ、また、軽量であるのでパワーの大きいモーターに取り替える必要もなく経済的に有利な踏切等遮断棒用表示板を提供することを目的とする。
【課題を解決するための手段】
【０００７】
上記目的を達成するために、本発明の特徴の第１は、踏切等の遮断棒に取り付ける表示板であって、断面視Ｃ字状の取り付け部と板状の表示部とからなる発泡樹脂製の部材からなり、前記取り付け部の外周面及び／又は内周面に該取り付け部の長さ方向と平行な溝が刻設され、前記取り付け部の内周面にクッション材が設けられ、前記表示部は前記取り付け部の長さ方向と平行方向に、該取り付け部から立設されている踏切等遮断棒用表示板を内容とする。
【０００８】
本発明の特徴の第２は、発泡倍率が１．５〜３倍である上記の踏切等遮断棒用表示板を内容とする。
【００１０】
本発明の特徴の第３は、表示部は断面視Ｃ字状の取り付け部の端部から延設されている上記の踏切等遮断棒用表示板を内容とする。
【００１１】
本発明の特徴の第４は、表示部の基端に結束バンドを挿通するための窓部が穿設されている上記の踏切等遮断棒用表示板を内容とする。
【００１２】
本発明の特徴の第５は、蛍光着色料又は夜光着色料が含有又は塗布されている上記の踏切等遮断棒用表示板を内容とする。
【発明の効果】
【００１３】
本発明による踏切等遮断棒用表示板は、可撓性及び弾性変形に富む発泡樹脂からなるとともに、断面視Ｃ字状の取り付け部と板状の表示部とからなり、取り付け部の外周面及び／又は内周面には取り付け部の長さ方向と平行な溝が刻設されているので、取り付け部が可撓性に富むとともに弾性変形しやすく、断面視Ｃ字状の取り付け部の開口部分を押し拡げながら遮断棒を押し込むことにより、表示板を遮断棒に容易に取り付けることができる。
また、表示板を遮断棒に取り付けた後は、Ｃ字状の取付部は弾性復元力により元の状態に戻ろうと収縮するので表示板は遮断棒にしっかりと取り付けられ、表示板を遮断棒上に起立させることができるので視認性に優れている。この場合、結束バンドを使用することにより、上記効果を一層確実なものとすることができる。
【００１４】
更に、発泡樹脂製であるので軽量であり、大きな表示板を遮断棒に取り付けた場合でも、この遮断棒を昇降させるためのモーターをパワーの大きなモーターに取り替える必要がないので経済的である。なお、発泡樹脂の発泡倍率は、強度と軽量性との観点から１．５〜３倍が適当である。
【００１５】
取り付け部の内周面にクッション材を設けることにより、通行人や自動車等が表示板に衝突しても壊れにくくなる。また、Ｃ字状の取付部に対し、遮断棒の径が小さい場合でも取り付けができるので種々の径の遮断棒に対応できる。更に、クッション材が表示板の取り付け部内周面及び遮断棒の凹凸に食い込んで、取り付け部と遮断棒の間の摩擦力が増大するため、取り付け後に表示板が移動したりすることが防止され、また表示板の起立状態が保持されやすくなる。
【００１６】
表示部を断面視Ｃ字状の取り付け部の端部から延設すれば、取り付け部の開口部分に遮断棒を押し込む際に表示部を手で持って開口部分を大きく押し広げることができるので、遮断棒への表示板の取り付けが一層容易になる。また、構造的に弱い三又に分かれた部分が無くなるので壊れにくくなり耐久性が増し、更に、成形も容易である。
【００１７】
表示部の基端に結束バンドを挿通するための窓部を穿設すれば、取り付け部を結束バンドで締め付けることにより、強固に表示板を固定できる。また、この窓部から従来の吊り下げタイプの表示板等を吊り下げることが可能なので、遮断棒を一層目立たせ、注意力や視認性を一層高めることができる。
【００１８】
蛍光着色料又は夜光着色料を含有又は塗布すれば、夜間でも表示板が目に入りやすくなり、注意力や視認性を一層高めることができる。。
【図面の簡単な説明】
【００１９】
【図１】図１は本発明の踏切等遮断棒用表示板の一例を示し、（ａ）は側面図であり、（ｂ）は斜視図である。
【図２】図２は取り付け部の内周面にクッション材を設けた踏切等遮断棒用表示板を示す側面図であり、（ａ）は内周面全体にクッション材を設けた例であり、（ｂ）は内周面の一部にクッション材を設けた例である。
【図３】図３は本発明の踏切等遮断棒用表示板の他の例を示す側面図である。
【図４】図４は窓部に挿通される結束バンドの一例を示す斜視図である。
【図５】図５（ａ）、（ｂ）は本発明の踏切等遮断棒用表示板の使用例を示す説明図である。
【図６】図６は別の使用例を示す説明図である。
【図７】図７はさらに別の使用例を示す説明図である。
【発明を実施するための形態】
【００２０】
本発明の踏切等遮断棒用表示板１（単に、表示板１と称することがある）は、図１に示すように、踏切等の遮断棒に取り付ける表示板であって、断面視Ｃ字状の取り付け部２と板状の表示部３とからなる発泡樹脂製の部材からなり、取り付け部２の外周面及び／又は内周面（図１の例では内周面）に取り付け部２の長さ方向と平行な溝２ａが刻設され、表示部３は取り付け部２の長さ方向と平行方向に、取り付け部２から立設されていることを特徴とする。
【００２１】
材質は耐腐食性、軽量性、強度を兼ね備えている点で発泡樹脂が使用され、具体的には、例えば、ＡＢＳ樹脂（アクリロニトリル−ブタジエン- スチレン共重合樹脂）、ＡＡＳ樹脂（アクリロニトリル／アクリルゴム／スチレン樹脂）、ＡＥＳ樹脂（アクリロニトリル／エチレンプロピレンゴム／スチレン樹脂）、ＡＳ樹脂（アクリロニトリル／スチレン樹脂）、ＰＳ樹脂（ポリスチレン樹脂）、ＰＭＭＡ樹脂（ポリメチルメタクリレート樹脂）、ＰＶＣ樹脂（ポリ塩化ビニリデン樹脂）、ＭＳ樹脂（メチルメタクリレート／スチレン樹脂）、ＰＰ樹脂（ポリプロピレン樹脂）、ＰＥ樹脂（ポリエチレン樹脂）、ＰＢＴ樹脂（ポリブチレンテレフタレート樹脂）およびＰＣ樹脂（ポリカーボネート樹脂）等が使用可能であり、コスト面での有利さと軽量性を兼ね備えている点でＰＥ樹脂（ポリエチレン樹脂）が好ましい。
また、ポリ乳酸樹脂、ポリブチレンサクシネート、ポリアミド１１、ポリヒドロキシ酪酸等の生分解性プラスチック、バイオマスプラスチック等が使用可能である。
生分解性プラスチックを用いた場合は、化石資源の使用を減少させ、特に、バイオマスプラスチックは植物由来の素材からなるので焼却処分しても植物が固定したＣＯ2 が排出されるだけであるので、ＣＯ2 排出量が増えないカーボンニュートラルが達成され、環境に優しく地球温暖化防止に寄与し、低炭素社会の実現に貢献する利点がある。
【００２２】
上記樹脂の発泡倍率は特に限定されないが、１．５〜３倍程度が好ましく、１．８〜２．２程度がさらに好ましい。発泡倍率が１．５倍未満では軽量化が十分でなく、一方、３倍を越えると強度が不十分となる傾向がある。発泡方法については特に限定されず、定法がいずれも利用できるが、押出成形が好ましい。
【００２３】
本発明の踏切等遮断棒用表示板１は、図１に示すとおり、取り付け部２と表示部３からなる。
本発明の取り付け部２は表示板１を遮断棒に取り付けるための部分である。その形状は、断面視Ｃ字状の筒型とされており、この取り付け部２により表示板を遮断棒に取り付けるには、取り付け部２の開口部分２ｃを、素材の発泡樹脂及び取り付け部２のＣ字状の形状、構造に由来する可撓性と弾性変形を利用して、遮断棒の直径以上に押し拡げて、この部分に遮断棒を押し込めばよい。
取り付け部２の内径や開口部分２ｃの幅は、本発明の表示板１を取り付ける遮断棒の外径に応じて定めればよいが、取り付け部２の内径は遮断棒の外径よりもやや小さい程度とされ、開口部分２ｃの幅は遮断棒の外径よりも小さくなり、押し拡げると遮断棒の外径以上に大きくなる程度とされる。
【００２４】
取り付け部２の外周面及び／又は内周面には取り付け部２の長さ方向と平行な溝２ａが刻設される。この溝２ａにより取り付け部２は一層弾性変形しやすくなるので、取り付け部２により遮断棒を取り付ける際に、開口部分２ｃを押し拡げやすくなる。
また、取り付け部２の寸法の融通性が大きくなるので、遮断棒の径の大きいものから小さいものまで取り付けることができる。
溝２ａの位置は、図１及び図２に示したように取り付け部２の内周面側でもよいし、図３に示したように外周面側でもよく、内外両方に設けてもよいが、遮断棒との間の摩擦力を増大させるためには溝を内側に設けるのが好ましい。
【００２５】
本発明の表示板１には、図２に示したように、取り付け部２の内周面側にクッション材２ｄを設けることもできる。クッション材２ｄの材質は特に限定されないが、天然ゴム、アクリルゴムやニトリルゴム等の合成ゴム、ＥＰＤＭやウレタンフォーム等の軟質発泡体等が挙げられる。また、軟質ポリエチレンや軟質ポリ塩化ビニル等も用いることができる。
このようなクッション材２ｄを設けることにより表示板１の取り付け部２の耐衝撃強度が増すので、自動車や通行人等がこの表示板１に衝突したとしても、表示板１や遮断棒が損傷する危険が小さくなる。
また、クッション材２ｄは取り付け部２の内周面や遮断棒の表面の凹凸に食い込んで摩擦力を増すことにより、表示板１が移動したりすることが防止され、また、表示板１が起立状態に保持されやすくなる。摩擦力は凹凸が大きいほど強くなるので、上記したように、溝２ａを取り付け部２の内周面側に刻設するほうが好ましい。
【００２６】
クッション材２ｄは、図２（ａ）に示すように、内周面の全面に設けることもできるし、図２（ｂ）に示すように、部分的に設けることもできる。部分的に設ける場合は中央部２ｆに設けるよりも端部付近２ｅに設けるほうが好ましい。端部付近２ｅに設けた場合はクッション材２ｄに一層大きな挟圧が掛かり、クッション材２ｄが取り付け部２の内周面及び遮断棒の表面の凹凸に食い込むので、一層大きな摩擦力が働き、表示板１を堅固に取り付けることができる。
【００２７】
本発明において表示部３は、例えば、踏切待ちの人や踏切内に取り残された人に対する警告やメッセージを表示する部分であり、取り付け部２の長さ方向と平行に取り付け部２から立設される板状の部分である。
表示部３は、図３に示すように取り付け部２の開口部分２ｃから離れた部分に立設することも可能ではあるが、図１に示すように取り付け部２の端部２ｂに設けるほうが好ましい。表示部３を取り付け部２の端部２ｂに設けると、取り付け部２に遮断棒を押し込む際に、表示部３を手で持って開口部分２ｃを大きく押し広げることができるので、遮断棒を押し込みやすくなり、作業効率が著しく向上する。
また、図３に示したような、開口部分２ｃから離れた部分に表示部３を立設した形状の表示板１は、三又に分かれた部分（表示部３の付け根の部分）で強度が弱くなる恐れがあるが、図１に示したような、取り付け部２の端部２ｂに表示部３を立設すれば三又に分かれる部分がなくなるので、強度は弱くならないので好ましい。また、押出成形し易い利点もある。
【００２８】
本発明では、表示部３の基端に結束バンドＢを挿通するための窓部３ａを穿設することもできる。本発明の踏切等遮断棒用表示板は、上記したように、素材と形状、構造から可撓性及び弾性変形が大きく、従って、Ｃ字状の取り付け部の開口部分を押し拡げながら遮断棒を押し込み遮断棒に取り付けた後は、Ｃ字状の取り付け部が弾性復元力により元の状態に戻ろうと収縮するので、表示板が遮断棒を包持することによりしっかりと取り付けられる。しかし、結束バンドＢで取り付け部２を結束すれば、単に取り付け部２の弾性復元力で遮断棒を包持するだけでなく、結束バンドＢの締め付け圧で表示板１と遮断棒とを一層堅固に固定できるので、例えば、強風の場合でも表示板１が移動したり、また、起立状態が損なわれる恐れがなくなる。
【００２９】
結束バンドＢとしては、窓部３ａに挿通されて取り付け部２の周りを結束できる限り特に限定されず、例えば、樹脂からなり、一方の表面に係止用の爪（ラチェット）４ａが複数並設され、一端に前記した爪４ａと掛合することにより抜け止めを図る係合部４ｂを備えた受部４ｃが一体に設けられ、他端には該受部４ｃに挿通されるガイド片４ｄが設けられたものが好適に用いられ、市販品としては、例えばタイラップ（商品名：トーマスアンドベッツインターナショナルインク社製）、インシュロック（商品名：タイトン社製）等が挙げられる。
また、この窓部３ａには、例えば特許文献２に記載されているような、結束バンドや吊り下げ用の紐を備えた吊り下げ型表示装置の結束バンド部分や紐を挿通して、本発明の表示板１の下に従来の表示装置を吊り下げることもできる。この場合は、本発明の表示板１を単独で使用する場合よりも強く通行人の注意を引くことができる。
【００３０】
表示部３には踏切を通過しようとする通行人に対するメッセージや警告が記載される。記載の内容は特に限定されないが、「しばらくお待ち下さい」、「無謀な横断禁止」、「一旦停止お願いします」、「閉じ込められたら車で押して出て下さい」、「侵入禁止」、「立入り禁止」等のメッセージや、黄色地に黒縞の警告模様等が例示できる。
これらのメッセージや警告模様は、表示部３に直接印刷してもよいし、上記内容が記載又は印刷されたシールを表示部３に貼り付けてもよい。また、表示部に蛍光着色料又は夜光着色料を含有又は塗布することにより、夜間部において、表示板自体や、メッセージや警告を一層目立たせることもできる。
【００３１】
図５に本発明の踏切用としての遮断棒用表示板１の使用例を示す。この使用例では、遮断棒Ｃを取り付け部２に押し込んでから、表示部３の位置が遮断棒Ｃの上側になるように調節し、結束バンドＢで縛って表示板１の位置を固定している。このように、本発明の表示板１を用いれば、遮断棒Ｃの上に表示部３を立設して、視認し易い高い位置にメッセージ等を表示することができる。
なお、図（ａ）は取り付けられた表示板１を踏切の外から見た説明図であり、（ｂ）は踏切の中から見た説明図である。このように高い位置にメッセージが表示されていれば、遮断棒の前に人や車がいても視認しやすく、また、踏切内に閉じ込められた自動車の中からでも表示されたメッセージが見えやすくなり、このメッセージに従って電車が来る前に踏切から脱出できるので、大事故を未然に防ぐことができる。
【００３２】
図６に本発明の踏切用としての表示板１の別の使用例を示す。この使用例でも、図５の例と同様にして表示部３が遮断棒Ｃより上側になるように表示板１が固定されているが、それに加え、本発明の表示板１の下側に従来の表示板Ｏが設けられている。なお、この例において、従来の表示板Ｏの吊り下げ用紐は窓部３ａに挿通されている。
このように、遮断棒Ｃの上下に表示板１、Ｏを設けた場合、注意を一層強く喚起するので、踏切に気付かずに線路内に進入する事故を未然に防ぐだけでなく、遮断棒Ｃを潜ったり跨いだりしにくくなるので、無謀横断を効果的に防ぐことができる。
【００３３】
なお、本発明の表示板１は、図７に示したように、従来の表示板Ｏと同様、表示部３が遮断棒Ｃの下側になるように設置することもできる。この場合、結束バンドは省略することができる。
【００３４】
以上、本発明の遮断棒用表示板を、主として踏切用の遮断棒用表示板について説明したが、本発明の遮断棒用表示板は踏切用に限定されるものではなく、ＥＴＣや工事現場等における遮断棒用表示板としても広く使用することができる。
【産業上の利用可能性】
【００３５】
叙上のとおり、本発明の踏切等遮断棒用表示板によれば、素材である発泡樹脂及び取り付け部の形状、構造に由来する可撓性及び弾性変形を利用して容易に遮断棒に取り付けることができる。
また、軽量であるので遮断棒の上側に表示部を起立させることができるので視認しやすいばかりでなく、遮断棒昇降用のモーターをパワーの大きいモーターに取り替える必要がないのでコスト的にも有利で、踏切等遮断棒に後付けするための表示板として頗る有用である。
【符号の説明】
【００３６】
１  踏切遮断棒用表示板
２  取り付け部
２ａ  溝
２ｂ  端部
２ｃ  開口部分
２ｄ  クッション材
３  表示部
３ａ  窓部
４ａ  爪（ラチェット）
４ｂ  係合部
４ｃ  受部
４ｄ  ガイド片
Ｂ  結束バンド
Ｃ  遮断棒
Ｏ  従来の表示板
【図１】
0005631115.tif 000002
【図２】
0005631115.tif 000003
【図３】
0005631115.tif 000004
【図４】
0005631115.tif 000005
【図５】
0005631115.tif 000006
【図６】
0005631115.tif 000007
【図７】
0005631115.tif 000008